(57)【要約】【課題】ゴミが排水カゴ内で取っ手部から離れた部分に寄せられて溜まるようにして、使用者が清掃時に取っ手部を掴んでも、汚れた部分を触れにくい構成とし、使用者に対する不快感を低減させ、しかも清掃性に優れた排水カゴを実現する。【解決手段】排水カゴ１は、排水が通過する網目状部７及び排水が通過しない孔なし部８とから成る捕集排水部２と、捕集排水部２の周囲に形成された環状のフランジ部３と、フランジ部３の内縁側に突出して設けられた取っ手部４とを備えており、取っ手部４は、孔なし部８の上方に形成されており、孔なし部４から排水は排出されず、排水中に含まれるゴミは、孔なし部８に溜まることなく網目状部７側に寄せられて溜まる。【選択図】図１
2011063994.tif 000002
【特許請求の範囲】
【請求項１】
捕集排水部と、捕集排水部の周囲に形成されたフランジ部と、フランジ部に設けられた取っ手部とを備えた排水カゴにおいて、捕集排水部は排水が通過する網目状部あるいは多孔部と、排水が通過しない孔なし部とで構成され、孔なし部は取っ手部の下方に形成されていることを特徴とする排水カゴ。
【請求項２】
請求項１に記載の排水カゴであって、孔なし部が捕集排水部の底部の一部と周壁部の一部に連続的に形成されていることを特徴とする排水カゴ。
【請求項３】
請求項１又は２に記載の排水カゴであって、孔なし部が傾斜していることを特徴とする排水カゴ。
【請求項４】
請求項１に記載の排水カゴであって、孔なし部は取っ手部の下方に形成された立上げ部と、立上げ部の上部に連なる段部と、を備えていることを特徴とする排水カゴ。
【発明の詳細な説明】
【技術分野】
【０００１】
本発明は、キッチンのシンク排水部等に取り付けられ、ゴミを捕集する排水カゴに関する。
【背景技術】
【０００２】
キッチンのシンク排水部等には、キッチンのシンク周辺から生じる生ゴミ等のゴミを捕集する排水カゴが取付けられている。流し排水口のゴミ受けにおいて、通穴体と周鍔体とを備えた構成は知られている（特許文献１参照）。
【０００３】
また、流し用厨芥収納カゴにおいて、カゴの上端に形成された口金の一部にカゴの内側に突出する撮み取手が形成されているとともに、カゴの底部がカゴの椀体上端縁より小径である構成は知られている（特許文献２参照）。
【先行技術文献】
【特許文献】
【０００４】
【特許文献１】特開２００６−８３５８８号公報
【特許文献２】特開平９−３２８２０１号公報
【発明の概要】
【発明が解決しようとする課題】
【０００５】
従来のキッチンのシンク排水部等に取付けられる排水カゴは、網目状の捕集部、その周囲のフランジ部、フランジ部に形成された取っ手部とを備えているが、ゴミが排水カゴの広範囲にわたり無造作に溜まる。特に、取っ手周辺に生ゴミ等のゴミが溜まると、ゴミ捨て時に使用者が取手部を掴む際に手がゴミに触れ、或いは排水カゴを上下にひっくり返すようにしてゴミを捨てる際にゴミが手に付着し、不快感を与える原因となる。また、ヌメリなどの発生により、清掃時に汚れた部分を触ることも、使用者に不快感を与える原因となる。
【０００６】
本発明は、上記従来の問題を解決することを目的とし、ゴミが排水カゴ内で取っ手部から離れた部分に寄せて溜まるようにして、使用者が清掃時に取っ手部を掴んでも、汚れた部分を触れにくい構成とし、使用者に対する不快感を低減させ、しかも清掃性に優れた排水カゴを実現することを課題とする。
【課題を解決するための手段】
【０００７】
本発明は上記課題を解決するために、捕集排水部と、捕集排水部の周囲に形成されたフランジ部と、フランジ部に設けられた取っ手部とを備えた排水カゴにおいて、捕集排水部は排水が通過する網目状部あるいは多孔部と、排水が通過しない孔なし部とで構成され、孔なし部は取っ手部の下方に形成されていることを特徴とする排水カゴを提供する。
【０００８】
孔なし部は、捕集排水部の底部の一部と周壁部の一部に連続的に形成されていることが好ましい。
【０００９】
孔なし部は、傾斜していることが好ましい。
【００１０】
孔なし部は取っ手部の下方に形成された立上げ部と、立上げ部の上部に連なる段部と、を備えていること好ましい。
【発明の効果】
【００１１】
本発明の排水カゴによると、取っ手部の下方に孔なし部が形成されており、孔なし部に溜まろうとするゴミは排水によって網目状部あるいは多孔部へ押し流されて寄せられるので、取っ手部の周辺にゴミが溜まることがなくなり、使用者が、取っ手部を掴んでもゴミに触れにくく、ゴミで汚れるようなことが避けられ、清掃の際に、使用者に不快感を与えることも低減し、衛生的である。また、ゴミがて網目状部あるいは多孔部に寄せられ、まとまって捕集されるので、清掃がし易い。
【図面の簡単な説明】
【００１２】
【図１】本発明の排水カゴの実施例１を説明する図であり、（ａ）は平面図であり、（ｂ）は（ａ）のＡ−Ａ断面図であり、（ｃ）は斜視図であり、（ｄ）は網目状部の拡大図であり、（ｅ）は多孔部の拡大図である。
【図２】（ａ）本発明の排水カゴの実施例１をシンクの排水口に取り付けた状態を示し、（ｂ）は実施例１の変形例１の平面図であり、（ｃ）は実施例１の変形例１の斜視図であり、（ｄ）は変形例１の要部を説明する図であり、（ｅ）は排水蓋の望ましくない設置形態を示す図である。
【図３】（ａ）〜（ｃ）は、実施例１の排水カゴの作用を説明する模式図である。
【図４】本発明の排水カゴの実施例１の変形例２を説明する図であり、（ａ）は平面図であり、（ｂ）は（ａ）のＡ−Ａ断面図であり、（ｃ）は斜視図である。
【図５】本発明の排水カゴの実施例１の変形例３を説明する図であり、（ａ）は斜視図であり、（ｂ）は断面図であり、（ｃ）、（ｄ）は使用状態を説明する図である。
【図６】本発明の排水カゴの実施例２を説明する図であり、（ａ）は平面図であり、（ｂ）は（ａ）のＡ−Ａ断面図であり、（ｃ）は斜視図である。
【図７】本発明の排水カゴの実施例３を説明する図であり、（ａ）は斜視図であり、（ｂ）は断面図である。
【図８】本発明の排水カゴの実施例４を説明する図であり、（ａ）は平面図であり、（ｂ）は（ａ）のＡ−Ａ断面図であり、（ｃ）は斜視図である。
【図９】本発明の排水カゴの実施例５を説明する図であり、（ａ）は平面図であり、（ｂ）は（ａ）のＡ−Ａ断面図であり、（ｃ）は斜視図である。
【発明を実施するための形態】
【００１３】
本発明に係る排水カゴを実施するための形態を実施例に基づき図面を参照して、以下説明する。
【実施例１】
【００１４】
本発明の排水カゴの実施例１を図１〜３を参照して説明する。実施例１の排水カゴ１は、図１（ａ）〜（ｃ）に示すように、全体として凹皿状に形成されており、捕集排水部２と、捕集排水部２の周囲に形成された環状のフランジ部３と、フランジ部３に設けられた取っ手部４とを備えている。
【００１５】
捕集排水部２は、排水カゴ１の底部５及び周壁部６から構成された部分に相当し、排水が通過する網目状部７と、孔等が形成されておらず排水が通過しない孔なし部８とで形成されている。
【００１６】
網目状部７は、図１（ｂ）、（ｃ）に示すように、排水カゴ１の底部５の一部及び周壁部６の一部に連続的に形成されている。網目状部７は、排水を排出し、排水中のゴミを捕集する機能を発揮するものであり、従来の排水カゴ１と同様に、金網等の網９（図１（ａ）、（ｃ）において部分的に示し、その拡大図を図１（ｄ）に示す。）で形成されている。
【００１７】
網目状部７は、排水の排出とゴミの捕集を行う機能を有するものであるから、そのような機能を有するものであれば、多数の孔を有する構成であってもよい。要するに、網目状部７に替えて多孔部であってもよいのであり、本明細書では、「網目状部７」は、「網目状部７あるいは多孔部」の意味で使用する。図１（ｅ）に多孔部の複数の孔１０の構成例を拡大図で示す。
【００１８】
孔なし部８は、網９や孔１０等が形成されておらず、排水やゴミが通過することのない平滑な面を有する部分であり、図１（ｂ）、（ｃ）に示すように、排水カゴ１の底部５の一部及び周壁部６の一部に連続的に形成されている。
【００１９】
フランジ部３は、周壁部６の上端に外側に向けて水平に張り出すように連続的に形成されている。このフランジ部３は、図２（ａ）に示すような、シンク１１の排水口１２における装着用段部１３に載置して装着する機能を有する。フランジ部３の内縁の一部に排水カゴ１の内側に向けて湾曲状に突出する取っ手部４が形成されている。取っ手部４は、孔なし部８の上方に形成されている。換言すれば、取っ手部４の下方に孔なし部８が形成されている。
【００２０】
（作用）
実施例１の作用を以下説明する。図２（ａ）は、排水カゴ１をシンク１１の排水口１２に装着した状態を示す。シンク１１の排水口１２には、その上部には装着用段部１３が形成されており、その底部開口１４には排水管１５が取り付けられている。
【００２１】
排水カゴ１は、そのフランジ部３が排水口１２の載置用段部１３上に載置され、さらにその上に、排水蓋１６が載置されて取り付けられる。排水蓋１６は、例えば、金属、合成樹脂等の材料で形成されており、排水口１２をカバーするものである。排水蓋１６には、開口部１８が設けられており、この開口部１８の一方の側の縁部１８’が下方に傾斜するように形成されている。
【００２２】
シンク１１からの排水、及び排水とともに流されてきたゴミは、排水蓋１６の開口部１８から排水カゴ１内に流れ込み、排水カゴ１によってゴミ１９が捕集されて、排水は排水口１２の底部開口１４から排水管１５を通して排水される（図２、図３参照）。
【００２３】
排水蓋１６の開口部１８の位置や形状は特に限定されないが、開口部１８の縁部１８’が、取っ手部４側に下り勾配とならないように取り付けられるのが望ましい。そのような取り付けは、使用者が排水カゴ１及び排水蓋１６を取り付ける際に調整してもよいが、予め、排水カゴ１の上面及び排水蓋１６のフランジ部１７の下面に、位置決め用の凸部及び凹部を設けた構成としてもよい。なお、図２（ｅ）に、排水蓋１６の好ましくない設置形態として、開口部１８の縁部１８’が取っ手部４側が下り勾配となる状態を示す。
【００２４】
排水カゴ１を清掃する際には、排水蓋１６を取り外し、さらに排水カゴ１を排水口１２から取り外す。そして、排水カゴ１内に捕集されたゴミ１９は、排水カゴ１を上下逆さにひっくり返してして取り除けばよい。
【００２５】
図３（ａ）〜（ｃ）は、実施例１の排水カゴ１が、排水とともに流されてくるゴミ１９を捕集する過程を説明する図である。排水とともに流されてきたゴミ１９は、排水カゴ１の孔なし部８では、排水網９や孔１０が形成されていないために、図３（ａ）に示すように、孔なし部８と網目状部７との境界付近まで流され、網目状部７側で捕集されて徐々に溜まる。
【００２６】
このため、後から流れてくる排水は、図３（ｂ）に示すように、捕集されて徐々に溜まってくるゴミ１９により止められて滞水２０となり、その水位２１が上昇する。この過程において、後から流されてくるゴミ１９は、水位２１が上昇することにより、先に溜まっているゴミ１９を乗り越えてさらに網目状部７側に溜まっていく。
【００２７】
このようにして、排水は網目状部７を通して排水され、排水とともに流されてくるゴミ１９は、孔なし部８に溜まることなく、図３（ｃ）に示すように、孔なし部８と網目状部７との境界付近から網目状部７側に寄せられ、比較的まとまった状態で溜まる。この結果、孔なし部８の上方に位置する取っ手部４の周辺には、ゴミ１９が溜まりにくいので、清掃時に取っ手部４を掴んでも、手がゴミ１９に触れにくくなり、手がゴミ１９に接触して生じる使用者への不快感を低減できる。
【００２８】
さらに、ゴミ１９は捕集排水部２に無造作に付着するようなことがなく、網目状部７側にまとまって溜まるので、清掃の際にも、一括して除去することができ、清掃性も向上する。また、孔なし部８は、平坦（フラット）な面を有し洗浄し易いので、捕集排水部２の全面が網目状部で形成されている従来の排水カゴに比較して、清掃性が良い。
【００２９】
（実験例）
図１に示す実施例１の排水カゴ１について、その効果を確認するために、次のような２種類の比較実験を実施した。
（１）ゴミ寄せ試験：底部５の網目状部面積を求める試験
（２）排水試験：周壁部６の網目状部面積を求める試験
【００３０】
（１）ゴミ寄せ試験
図１（ａ）に示す実施例１の排水カゴであって、底部５の直径が約１２５ｍｍであり、網目状部７の開口寸法ｓ（図１（ａ）参照）を、２０ｍｍ、３０ｍｍ、３５ｍｍ、４０ｍｍ、５０ｍｍ、６０ｍｍとしたものそれぞれについて、台所ゴミの中でも、特に排水時に流れ難い大きな野菜くず１００ｇを通常の水洗流量（１２リットル／分程度）の水で２０秒間流して排水した。
【００３１】
この実験によると、いずれの場合も、取っ手部４から離れた位置でゴミが溜まるが、網目状部７の開口寸法が３５ｍｍの場合が、取っ手部４から最も離れた位置でゴミが溜まった。このような実験により、実施例１の排水カゴ１により、取っ手部４から離れた網目状部側に溜まるという効果が実証され、また、網目状部７の開口寸法ｓ等も設計上、考慮すべき事項であることが分かった。
【００３２】
（２）排水試験
網目状部７の開口寸法が３５ｍｍの排水カゴ１について、台所ゴミの中でも、特に詰まり易い油こげ、ツナの缶詰及び米粒から成るゴミ１００ｇを２０リットルで流して満水状態として、排水時間が２５秒以下となる図１（ａ）に示す網目状部７の周壁部６における面積（排水用側面開口部の面積）を求めた。この結果、周壁部６の網目状部７の面積は、１２０ｃｍ２程度が良いということが分かった。これにより、網目状部７の周壁部６の面積も、本発明の効果に関連するものであり、設計上、考慮すべき事項であることが分かった。
【００３３】
（変形例１）
本実施例１の孔なし部８には、網９や孔１０等が形成されていないが、実施例１の変形例１の排水カゴとして、孔なし部８の一部に孔を形成した構成を、図２（ｂ）〜（ｄ）において説明する。この変形例１の排水カゴでは、図２（ｂ）、（ｃ）に示すような位置、即ち、排水カゴ１の底部５のほぼ中央であって、孔なし部８における網目状部７との境界付近に沿った位置に、小孔群２５が複数（この変形例１では３つ）形成されている。
【００３４】
小孔群２５は、図２（ｄ）に拡大図で示すように、ゴミを捕捉し排水を通過させる小孔２６が複数個、密集して形成されて成る。例えば、孔直径１．４ｍｍ程度の複数の円形の小孔２６を、それぞれの中心を互いに１．５ｍｍ程度に離して形成する。
【００３５】
なお、孔なし部８は、文字通りからすると「孔がない」部分であるから、厳密には、小孔群２５を設けた構成は「孔なし部」に相当しないとも解釈される。しかしながら、変形例１の小孔群２５の孔２６は、あくまでも網目状部７の孔とは異なり、孔なし部８に例外的に設けたものであり、本発明の「孔なし部」の「孔」に相当するものではないものとする。従って、変形例１の排水カゴでは、孔なし部８は小孔群２５を設けていても「孔なし部」として扱うものとする。
【００３６】
このような複数の小孔群２５を設けると、シンク１１での排水量が多いような場合でも、排水の水位が高くならず、取っ手部４が汚れにくい。即ち、実施例１において説明したように、図３（ａ）、（ｂ）において、ゴミ１９が孔なし部８における網目状部７との境界付近に溜まっても、複数の小孔群２５から少量ずつ排水されるので、図３（ｂ）に示す排水の水位２１が余り高くなりすぎず、排水性を良好に保つことができる。また、取っ手部４が排水中に比較的長い時間浸されような状態が防止できるので、取っ手部４及びその周辺が汚れにくい。                        
【００３７】
なお、底部５の網目状部７にゴミ１９が溜まった状態でも効果的に排水できるようにするために最適な小孔群２５の数、配列等について評価する実験を、上記実験例の網目状部７の開口寸法が３５ｍｍの排水カゴ１について行った。この結果、排水カゴ１の底部５のほぼ中央であって孔なし部８に、底部５の網目状部７との境界付近に沿うように小孔群２５を直列状に７つ設けた構成が、排水性が良いことが分かった。このことから、変形例１では、小孔群２５の数、配列等も、排水カゴ１の排水性をより向上させるために、設計上、考慮する事項であることが分かった。
【００３８】
（変形例２）
実施例１の変形例２の排水カゴを、図４を参照して説明する。この変形例２の排水カゴは、実施例１の排水カゴとほぼ同じ構成であるが、周壁部６の上部に、上端がフランジ部３に連続した傾斜状の段部２７が、平面視で環状に形成されている構成が特徴である。換言すると、排水カゴ１の周壁部６の上部が段部２７において傾斜状に拡開してフランジ部３に連続している。
【００３９】
このような傾斜状の段部２７を設けたので、排水カゴ１に流れ込む排水の勢いで、ゴミが段部２７の上面に滞留することなく、排水カゴ１の内側に導入することができる。従って、取っ手部４及びその周辺にゴミが付着しにくく、汚れにくいので、取っ手部４を掴んでもゴミに触れるようなことがない。
【００４０】
（変形例３）
実施例１の変形例３の排水カゴを、図５を参照して説明する。この変形例３の排水カゴは、実施例１の排水カゴ１とほぼ同じ構成であるが、取っ手部４の下方における周壁部６に、排水カゴの１の内側に向けて窪んだ凹部２９が形成されている構成が特徴である。
【００４１】
変形例３の排水カゴでは、このような凹部２９が設けられているので、取っ手部４を掴む際には、図５（ｃ）に示すように、親指を凹部２９に入れれば、手を排水カゴ１の奥の方まで入れなくても安定して掴むことができる。また、図５（ｄ）に示すように、排水カゴ１を上下逆さにしてゴミを捨てする際にも、安定して掴むことが可能である。
【実施例２】
【００４２】
本発明の排水カゴの実施例２を図６（ａ）〜（ｃ）を参照して説明する。この実施例２の排水カゴ３１は、実施例１の排水カゴ１とほぼ同じ構成であり、相違する構成を中心に説明する。実施例１と同じ構成の部分については、実施例１と同じ符号を使用するが、特に説明は省略する。
【００４３】
この実施例２の排水カゴ３１は、孔なし部３２のうちの排水カゴ３１の底部３４の部分は、網目状部３３に向けて序々に低くなるように傾斜して形成されており、この傾斜した孔なし部３２の上方に取っ手部４が設けられている。なお、図６（ｂ）、（ｃ）において、想像線（２点鎖線）で示す部分は、実施例１の排水カゴ１の場合の網目状部を形成する部分を参考として示す。
【００４４】
この実施例２の排水カゴ３１は、実施例１と同様に孔なし部３２に溜まるゴミは、網目状部３３側に寄せられるが、孔なし部３２が網目状部３３に向けて徐々に低くなるように傾斜して形成されているから、ゴミは、網目状部３３側に、より寄せられ易くなる。従って、取っ手部４の周辺には、ゴミが溜まりにくいので、清掃時に取っ手部４を掴んでも、手がゴミに触れにくくなり、手がゴミに接触して生じる使用者への不快感を低減できる。
【実施例３】
【００４５】
本発明の排水カゴの実施例３を図７（ａ）、（ｂ）を参照して説明する。実施例３の排水カゴ３５は、実施例１の排水カゴ１と同様に、捕集排水部３６と、捕集排水部３６の周囲に形成されたフランジ部３７と、フランジ部３７に設けられた取っ手部３８とを備えおり、捕集排水部３６は、排水が通過する網目状部３９と、孔等が形成されておらず排水が通過しない孔なし部４０とで形成されている。
【００４６】
実施例３の排水カゴ３５は、全体的には、平面視で略Ｄ型に形成されている。網目状部３９は、排水カゴ３５の略Ｄ型の底部４１と周壁部４２の一部に形成されている。孔なし部４０は、周壁部４２の一部に網目状の周壁部４２と連続して形成され、網目状部３９の底部４１に向けて下方に傾斜し平板状に形成されている。
【００４７】
フランジ部３７は、周壁部４２の上端に、外側に向けて水平に連続的に形成されている。このフランジ部３７は、シンク１１の排水口１２における装着用段部１３（図２（ａ）参照）に載置して装着する機能を有する。フランジ部３７の直線部４３の内縁の一部に排水カゴ３５の内側に向けて湾曲状に突出する取っ手部３８が形成されている。取っ手部３８は、孔なし部４０の上方に形成されている。換言すれば、取っ手部３８の下方に、孔なし部４０が形成されている。
【００４８】
以上の構成から成る実施例３の作用を説明する。排水カゴ３５は、実施例１と同様に、図２（ａ）に示すように排水口１２に取り付ける。傾斜した平板状の孔なし部４０上に排水が流入すると、排水は網目状部３９側に流れていき、ゴミが捕集されて排水は排水管１５（図２（ａ）参照）から流れ出る。
【００４９】
排水とともに流れてきたゴミは、網目状部３９上に移動し、孔なし部４０上に溜まりにくい。従って、取っ手部３８周辺には、ゴミが溜まりにくいので、清掃時に取っ手部３８を掴んでも、手がゴミに触れにくくなり、手がゴミに接触して生じる使用者への不快感を低減できる。  
【実施例４】
【００５０】
本発明の排水カゴの実施例４を図８（ａ）〜（ｃ）を参照して説明する。実施例４の排水カゴ４５は、実施例１の排水カゴ１と同様に、捕集排水部４６と、捕集排水部４６の周囲に形成されたフランジ部４７と、フランジ部４７に設けられた取っ手部４８とを備えおり、捕集排水部４６は、排水が通過する網目状部４９と、孔等が形成されておらず排水が通過しない孔なし部５０とで形成されている。
【００５１】
実施例４の排水カゴ４５においては、網目状部４９は、排水カゴ４５の底部５１と周壁部５２の一部に連続的に形成されている。網目状部４９が形成された排水カゴ４５の底部５１及び周壁部５２は、平面視で円形状ではなく円形が一部直線的に切り欠かれた形状をしている。孔なし部５０は、周壁部５２の一部に、網目状部４９と連続して形成され、垂直に設けられた平板状の立ち上げ部５３と、立ち上げ部５３の上端からフランジ部４７まで伸びる平板状の傾斜した段部５４とから形成されている。
【００５２】
換言すると、実施例４の排水カゴ４５は、網目状部４９で形成された環状の周壁部５２及び底部５１を有する従来の排水カゴ（図８（ｂ）の想像線（２点鎖線）で示す）において、環状の周壁部５２の一部が平面視で直線的に切り欠かれ、その切り欠かれた部分に孔なし部５０が形成された構成に相当し、孔なし部５０は、垂直に設けられた平板状の立ち上げ部５３と、立ち上げ部５３の上端から上方に傾斜した平板状の段部５４とから連続的に形成されている。
【００５３】
フランジ部４７は、上方から見て平面視で円形に形成されており、周壁部５２の上端に連続的に水平に形成されている。このフランジ部４７は、シンク１１の排水口１２における装着用段部１３（図２（ａ）参照）に載置して装着する機能を有する。フランジ部４７の内縁の一部であって、孔なし部５０の上方に排水カゴ４５の内側に向けて湾曲状に突出する取っ手部４８が形成されている。逆に表現すると、取っ手部４８の下方に、孔なし部５０が形成されている。
【００５４】
以上の構成から成る実施例４の排水カゴ４５では、孔なし部５０における傾斜した段部５４上に排水が流入すると、排水は網目状部４９である底部５１に流れ落ち、そこでゴミが捕集されて排水は排水管１５（図２（ａ）参照）に流れ出る。
【００５５】
排水とともに流れてきたゴミは、孔なし部５０の傾斜した段部５４上では排水の勢いで流され、また、傾斜面でずり落ちるようにして、網目状部４９上に移動し、傾斜した段部５４には溜まりにくい。従って、取っ手部４８周辺には、ゴミが溜まりにくいので、清掃時に取っ手部４８を掴んでも、手がゴミに触れにくくなり、手がゴミに接触して生じる使用者への不快感を低減できる。  
【実施例５】
【００５６】
本発明の排水カゴの実施例４を図９（ａ）〜（ｃ）を参照して説明する。実施例５の排水カゴ６０は、実施例４の排水カゴ４５とほぼ同じ構成であり、実施例４と共通する構成は符号を同じとしてその説明は省略する。孔なし部６１は、立ち上げ部５３と段部で形成されているが、実施例５の排水カゴ６０が、実施例４と相違する構成は、段部は複数設けられた点である。
【００５７】
実施例５では、複数の段部として、上段部６２と下段部６３の２段の段部が設けられている。２段の段部６２、６３は、それぞれ傾斜して形成されている。図８（ｂ）の想像線（２点鎖線）は、従来の排水カゴにおける環状の周壁部及び底部を示す。
【００５８】
実施例５の排水カゴ６０では、傾斜した２段の段部６２、６３上に排水が流入すると、実施例４の排水カゴ４５と同様に、排水は網目状部６４が形成されている底部６５に流れ落ち、そこでゴミが捕集されて排水は排水管１５（図２（ａ）参照）に流れ出る。
【００５９】
排水とともに流れてきたゴミは、傾斜した２段の段部６２、６３上を流れる排水の勢いで網目状部に流されて移動し、しかも段部６２、６３が傾斜しているのでその傾斜面でずり落ちるようにして、孔なし部である段部６２、６３に溜まりにくい。従って、取っ手部６６の周辺には、ゴミが溜まりにくいので、清掃時に取っ手部６６を掴んでも、手がゴミに触れにくくなり、手がゴミに接触して生じる使用者への不快感を低減できる。
【００６０】
以上、本発明に係る排水カゴを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６１】
本発明に係る排水カゴは上記のような構成であるから、キッチンのシンクだけでなく、浴室の洗い場、洗面ボウル等の排水口に取り付けて使用することもできる。
【符号の説明】
【００６２】
（実施例１）
１  排水カゴ                           
２  捕集排水部                         
３  フランジ部                         
４  取っ手部                           
５  排水カゴの底部                     
６  排水カゴの周壁部                   
７  網目状部                           
８  孔なし部                           
９  金網等の網                         
１０  多孔部の孔                          
１１  シンク                              
１２  排水口                              
１３  装着用段部                          
１４  底部開口                            
１５  排水管                              
１６  排水蓋                              
１８  蓋部の開口部
１８’  開口部の縁部                                
１９  ゴミ                                
２０  滞水                                
２１  滞水の水位                          
２５  小孔群                              
２６  小孔                                
２７  傾斜状の段部                        
２９  周壁部の凹部                        
（実施例２）                                  
３１  排水カゴ                            
３２  孔なし部                            
３３  網目状部
３４  排水カゴの底部                          
（実施例３）                                 
３５  排水カゴ                            
３６  捕集排水部                          
３７  フランジ部                          
３８  取っ手部                            
３９  網目状部                            
４０  孔なし部                            
４１  排水カゴの底部                                
４２  排水カゴの周壁部                              
４３  フランジ部の直線部                  
（実施例４）                                  
４５  排水カゴ                            
４６  捕集排水部                          
４７  フランジ部                          
４８  取っ手部                            
４９  網目状部                            
５０  孔なし部                            
５１  排水カゴの底部                      
５２  排水カゴの周壁部                              
５３  立ち上げ部                          
５４  傾斜した段部                        
（実施例５）                                  
６０  排水カゴ                            
６１  孔なし部                            
６２  上段部                              
６３  下段部                              
６４  網目状部                            
６５  排水カゴの底部                      
６６  取っ手部                            
【図１】
2011063994.tif 000003
【図２】
2011063994.tif 000004
【図３】
2011063994.tif 000005
【図４】
2011063994.tif 000006
【図５】
2011063994.tif 000007
【図６】
2011063994.tif 000008
【図７】
2011063994.tif 000009
【図８】
2011063994.tif 000010
【図９】
2011063994.tif 000011